(57)【特許請求の範囲】
【請求項１】
異なる密度の二相の液体を分離するための遠心分離機であり、
回転軸（１０２；２０２）のまわりの回転方向に使用時に回転する回転体（１０１；２０１）を備え、前記回転軸は、前記回転体の長手方向に延びており、また、
前記長手方向に垂直に延びている径方向と、
ボウルを備えている前記回転体（１０１；２０１）を備え、
前記ボウルは、前記ボウルの後部長手端に設けられたベース（１０３；２０３）を備えており、前記ベースは、前記ベースの後部の前記遠心分離機の第一の後部長手エリア（１１１；２１１）に面しており、また、
前記ベース（１０３；２０３）を通って延びている、重量相の液体と軽量相の液体をそれぞれ出すための少なくとも二本の出口通路（１１５，１３９，１４５，１６９；２１５，２４５）を備え、前記出口通路は、それぞれのレベルに配置されたそれぞれのせきエッジ（１２９，１５９；２２９，２５９；３５９）と連絡しており、それにより、一方の出口通路は、一方のレベルに置かれたせきエッジと連絡し、他方の出口通路は、他方のレベルに置かれたせきエッジと連絡し、前記せきエッジ（１２９，１５９；２２９，２５９；３５９）は使用時に、前記ボウルの中の液体のレベル（１４１；２４１）と、前記ボウル中の二相の液体間の界面のレベル（１７１；２７１）を定めており、前記出口通路の１番目のもの（１１５，１３９；２１５）は、使用時に液体を前記回転体から前記第一の後部長手エリア（１１１；２１１）の中に放出する第一の出口開口（１２８；２２８）まで軸方向に延びており、前記出口通路の２番目のもの（１４５，１６９；２４５）は、使用時に液体を前記回転体から、前記第一の後部長手エリア（１１１；２１１）の後部の第二の後部長手エリア（１１３；２１３）の中に放出する第二の出口開口（１５８；２５８）まで延びている導管（１６２；２６２）を備えており、前記第二の出口開口（１５８；２５８）は、前記第二の出口開口（１５８；２５８）と連絡している前記せきエッジ（１５９；２５９；３５９）のレベルの上にないレベルに置かれた前記回転軸（１０２；２０２）に対する遠位エッジ（１６０；２６０；３６０）を有しているように位置しており、また、
前記ベース（１０３；２０３）から前記回転軸（１０２；２０２）と同軸に延びている前記回転体（１０１；２０１）のシャフト部分（１０５；２０５）を備え、前記シャフト部分はフランジ（１０７；２０７）を支持しており、前記導管（１６２；２６２）は、前記ベース（１０３；２０３）から前記フランジ（１０７；２０７）を通って前記第二の出口開口（１５８；２５８）まで延びており、前記フランジは、前記第一および前記第二の後部長手エリア（１１１および１１３；２１１および２１３）を分離しており、また、
前記回転体（１０１）を収納しているケーシング（３１）を備え、前記ケーシングは、前記回転体から前記第一の出口開口（１２８）を通って放出された液体を受け取るための近位区画と、前記回転体から第二の出口開口（１５８）を通って放出された液体を受け取るための遠位区画を備えており、前記区画は仕切り（３５ａ）によって分離されており、
前記仕切りを有している前記ケーシングは、蓋（３３）を備えている少なくとも二つの部分に分割されており、少なくとも前記蓋が閉位置にあるとき、前記フランジ（１０７）は環状シーリング（１７５，１７９）によって囲まれ、前記仕切り（３５ａ）は前記環状シーリングに係合する、遠心分離機。
【請求項２】
前記遠位エッジ（１６０；２６０）は、前記第二の出口開口（１５８；２５８）と連絡する前記せきエッジ（１５９；２５９）を構成していることを特徴とする、請求項１に記載の遠心分離機。
【請求項３】
前記環状シーリングは、前記フランジ（１０７）とスライド係合にある内側環状シーリング部材（１７５）と、前記蓋が閉位置にあるときに前記仕切り（３５ａ）と非スライド係合にある外側可撓部材（１７９）を備えていることを特徴とする、請求項１または２に記載の遠心分離機。
【請求項４】
前記環状シーリングは、前記蓋をその閉位置にすることによって前記ケーシングの前記二つの部分が、したがって前記仕切りの前記二つの部分（３５ａ，３６）が一緒にされたときに前記環状シーリングを形成する、前記仕切りの前記二つの部分にそれぞれ取り付けられた二つの半円部分（１７５ａ）を備えていることを特徴とする、請求項１または２に記載の遠心分離機。
【請求項５】
前記半円部分は、前記仕切りのそれぞれの部分にしっかりと装着されていることを特徴とする、請求項４に記載の遠心分離機。
【請求項６】
請求項１〜５のいずれかひとつに記載の遠心分離機であり、前記第二の後部長手エリア（１１３）に置かれた出口ハウジング（１５４）によって特徴づけられ、前記出口ハウジングは前記導管の一部を構成しており、前記出口ハウジングは調整軸（１６３）のまわりに回転可能であり、前記出口ハウジングは、前記調整軸から外れた側壁（１５６）を備えており、前記第二の出口開口（１５８）は前記側壁中に置かれている、遠心分離機。
【請求項７】
前記出口ハウジングを備えている前記導管は、前記ベース（１０３）に回転自在に連結された連結ピース（１４９）を有している出口要素（１５１）の一部であることを特徴とする、請求項６に記載の遠心分離機。
【請求項８】
前記出口ハウジングは、チューブ状であり、前記調整軸と同軸のチューブ軸を有していることを特徴とする、請求項７に記載の遠心分離機。
【請求項９】
前記調整軸は前記回転軸と平行であることを特徴とする、請求項６〜８のいずれかひとつに記載の遠心分離機。
【請求項１０】
前記せきエッジ（２２９，２５９）の少なくとも一つは平面内に延びており、それは前記ベース（２０３）と平行であることを特徴とする、請求項１〜５のいずれかひとつに記載の遠心分離機。
【発明の詳細な説明】
【技術分野】
【０００１】
本発明は、異なる密度の二相の液体を分離するための遠心分離機、特にデカンター遠心機に関し、使用時に好ましくは水平の回転軸のまわりの回転方向に回転する回転体を備えており、前記回転軸は前記回転体の長手方向に延びており、また、前記長手方向に垂直に延びている径方向を備えており、前記回転体はボウルを備えており、前記ボウルは前記ボウルの後部長手端に設けられたベースを備えており、前記ベースは、前記ベースの後部の前記遠心分離機の第一の後部長手エリアを定めており、また、前記ベースを通って延びている少なくとも二本の出口通路を備えており、前記出口通路は、それぞれのレベルでそれぞれのせきエッジと連絡しており、前記せきエッジは使用時に、前記ボウル中の液体のレベルと、前記ボウル中の二相の液体間の界面のレベルを定め、前記出口通路の１番目のものは、使用時に液体を回転体から前記第一の後部長手エリアの中に放出する第一の出口開口まで延びており、前記出口通路の２番目のものは、使用時に液体を回転体から、前記第一の後部長手エリアの後部の第二の後部長手エリアの中に放出する第二の出口開口まで延びている導管を備えており、前記第二の出口開口は、前記第二の出口開口と連絡している前記せきエッジのレベルの上にないレベルに置かれた前記回転軸に対する遠位エッジを有しているように位置している。
【背景技術】
【０００２】
ＦＲ−Ａ−２ １２０ ５３７は、この技術の遠心機を開示している。
【０００３】
ＥＰ−Ａ−１ ４８０ ７５４は、ベースが、第一の出口通路のせきを通った軽量相の液体を使用時に受け取る内側環状空間を備えている遠心分離機を開示しており、その環状空間から液体が、一つの実施形態（図２）では、すくい取りディスクによって遠心分離機の流入パイプのまわりに設けられた中央ダクトまで運ばれる。別の実施形態（図３）では、内側環状空間は、液体を回転体から放出する出口開口を径方向に延びている通過と連結されている。両方の実施形態では、第二の出口通路はベースの内側にせきを備えており、第二の出口通路は、回転軸に対して発散する様式でベースの外側にある出口開口まで延びており、調整可能なスロットル・デバイスが、重量相の液体の逃げ量をコントロールするために設けられている。
【０００４】
ＷＯ−Ａ−２００９／１２７２１２は、参照によってここに取り囲まれ、それぞれ軽量および重量相の液体のための二本の出口通路を備えたベースを有しており、一方の出口通路が、前記ベースを通って軸方向に延びているのに対して、他方の出口通路が、前記ベースの内側の出口チャンバーを経由して、前記ベースの外へ、流出液体を回転方向の反対方向に方向づけるノズルへまで延びている遠心分離機を開示している。
【０００５】
遠心分離機のエネルギー使用量を削減するために比較的小さい半径または回転軸からの距離において重量および軽量相の両方が回転体から放出される、前置きとして述べられた技術の遠心分離機を提供することが本発明の目的である。
【０００６】
表現「レベル」は、回転軸からの径方向の距離を称し、また、地球の重力場に対する類推によって、「上」は回転軸に向かう方向を称し、「下」は反対方向を称することが理解されるべきである。
【先行技術文献】
【特許文献】
【０００７】
【特許文献１】ＦＲ−Ａ−２ １２０ ５３７
【特許文献２】ＥＰ−Ａ−１ ４８０ ７５４
【特許文献３】ＷＯ−Ａ−２００９／１２７２１２
【発明の概要】
【０００８】
本発明によれば、前記回転体のシャフト部分は、前記ベースから前記回転軸と同軸に延びており、前記シャフト部分はフランジを支持しており、前記導管は前記ベースから前記フランジを通って前記第二の出口開口まで延びており、前記フランジは前記第一および前記第二の後部長手エリアを分離している。前記フランジは、それぞれの出口開口からの放出後の二相の再混合を防ぐことを容易にし、また、前記フランジは、導管を支持することを支援し得る。
【０００９】
さらに、本発明によれば、遠心分離機は、前記回転体を収納しているケーシングを備えており、前記ケーシングは、前記回転体から前記第一の出口開口を通って放出された液体を受け取るための近位区画と、前記回転体から前記第二の出口開口を通って放出された液体を受け取るための遠位区画を備えており、これらの区画は仕切りによって分離されている。したがって、前記近位区画は前記第一の後部長手エリアを広げており、前記遠位区画は前記第二の後部長手エリアを広げている。これにより、二つの液相の再混合の予防が容易になる。前記仕切りを有している前記ケーシングは、蓋を備えている少なくとも二つの部分に分割されており、少なくとも前記蓋が閉位置にあるとき、上述のフランジは環状シーリングに囲まれ、前記仕切りは環状シーリングに係合する。これにより、二つの液相の再混合の予防がさらに容易になる。
【００１０】
ある実施形態では、前記遠位エッジは、前記第二の出口開口と連絡している前記せきエッジを構成している。
【００１１】
ある実施形態では、前記環状シーリングは、前記フランジとスライド係合にある内側環状シーリング部材と、前記蓋が閉位置にあるときに前記仕切りと非スライド係合にある外側可撓部材を備えている。
【００１２】
別の実施形態では、前記環状シーリングは、前記仕切りの前記二つの部分のいずれかに取り付けられた二つの半円部分を備えており、前記半円部分は好ましくは前記仕切りのそれぞれの部分にしっかりと装着されており、前記蓋をその閉位置にすることによって前記ケーシングの前記二つの部分が、したがって前記仕切りの前記二つの部分が一緒にされたときに前記環状シーリングを形成する。
【００１３】
好ましくは、出口ハウジングが前記第二の後部長手エリアの中に置かれており、前記出口ハウジングは前記導管の一部を構成しており、前記出口ハウジングは調整軸のまわりに回転可能であり、前記出口ハウジングは、前記調整軸から外れた側壁を備えており、前記第二の出口開口は前記側壁中に置かれている。実際的な実施形態では、前記出口ハウジングを備えている前記導管は、前記ベースに回転自在に連結された連結ピースを有している出口要素の一部である。さらに実際的な実施形態では、前記出口部材は、チューブ状であり、前記調整軸と同軸のチューブ軸を有している。好ましくは、前記調整軸は前記回転軸と平行である。そのような回転可能な出口ハウジングの側壁に出口開口を設けることによって、前記出口開口によって放出された液体が回転方向の反対方向に放出され、それにより放出液体からエネルギーを回復し得ることが得られる。さらに、前記出口開口の前記遠位エッジが問題の前記出口通路の前記せきエッジを提供するとき、前記出口ハウジングを回転させることは前記せきエッジのレベルを調節する。
【００１４】
一般に、遠心機の特にデカンター遠心機のボウルを備えているたとえば回転体のフランジなどの回転部材と、特にケーシングの区分された仕切りとの間のシーリングが必要とされる場合にとって、本発明によれば、環状シーリングは、前記フランジとスライド係合にある内側環状シーリング部材と、たとえば前記仕切りの区域を支持している蓋を閉位置にすることによって、それらの区域が一緒になったときに前記仕切りとの非スライド係合のための外側可撓部材を備えている。
【図面の簡単な説明】
【００１５】
本発明によれば、前記せきエッジの少なくとも一つが平面内に延びており、それが前記ベースと平行であることも可能である。
【００１６】
以下では、概略図に関連した実施形態の例を通して本発明がより詳しく説明される。
【図１】図１は、従来技術のデカンター遠心機の回転体の縦断面を示している。
【図２】図２は、従来技術のデカンター遠心機の出口を示している。
【図３】図３は、図２のＩＩＩ−ＩＩＩ線に沿った断面を示している。
【図４】図４は、開放蓋を備えている従来技術のデカンター遠心機を示している。
【図５】図５は、本発明で使用可能な出口配置の実施形態の部分縦断面を示している。
【図６】図６は、図５にＶＩ−ＶＩ線に沿った断面を示している。
【図７】図７は、第一の出口を示している本発明による回転体の部分縦断面を示している。
【図８】図８は、第二の出口を示している図７の回転体の部分縦断面を示している。
【図９】図９は、図７および８の回転体の部分斜視図を示している。
【図１０ａ】図１０ａは、第二の実施形態のデカンター遠心機のベースの、図１０ｂのＸａ−Ｘａ線によって示された、端面図を示す。
【図１０ｂ】図１０ｂは、図１０ａのＸｂ−Ｘｂ線に沿った断面を示している。
【図１０ｃ】図１０ｃは、図１０ａのＸｃ−Ｘｃ線に沿った断面を示している。
【図１１】図１１は、図１０ａ〜１０ｃに示された実施形態の変形の図１０ｂに対応する断面を示している。
【図１２】図１２は、図８と同様に、回転体とケーシングの仕切りの部分縦断面を示している。
【図１３】図１３は、シーリング部材の平面図である。
【発明を実施するための形態】
【００１７】
図１に概略的に示される従来技術の遠心分離機またはデカンター遠心機の回転体１は、使用時に水平回転軸５のまわりに回転されるようにシャフト４に装着されたボウル２とスクリューコンベヤー３を備えており、回転軸５はボウル２の長手方向に延びている。さらに、回転体１は、長手方向に垂直に延びている径方向５ａを有している。
【００１８】
簡単のために、方向「上」および「下」は、ここでは、それぞれ、回転軸５へ向かう径方向と、回転軸５から離れる径方向を称している。
【００１９】
ボウル２は、ボウル２の一方の長手端に設けられたベースプレート６を備えており、そのベースプレート６は内部側面７と外部側面８を有している。ベースプレート６は、ベースプレートの外部側面８に複数の外部開口を有している多数の液相出口通路９を備えている。さらに、ボウル２は、ベースプレート６の反対端に、複数の固相放出開口１０を備えている。
【００２０】
スクリューコンベヤー３は、回転体１に供給材料たとえばスラリーを供給するための入口開口１１を備えており、スラリーは、軽量または液相１２と重量または固相１３を備えている。前に説明されたような回転体１の回転のあいだに、液相１２と固相１３相の分離が得られる。スクリューコンベヤー３が固相１３を、固相１３がやがてそれを通って放出される固相放出開口１０の方へ輸送するあいだに、液相１２は、ベースプレート６中の出口通路９を通って放出される。
【００２１】
図２を参照すると、各液相出口通路９の外部開口は、従来技術によると、せきプレート１４によって部分的に覆われている。せきプレート１４は、せきプレートのオーバーフロー縁１７を実質的に超えることができないボウル中の液体のレベル１５（図３参照）を決定し、それは、液体の実際的な見方からせきプレート１４の上の開口のエリア１６は無制限であるからである。せきプレート１４は、支持デバイス２１の周囲部分１９の複数の穴１８を通って突出している例えばボルトの形の固定手段（図示せず）によってベースプレート６にしっかりと固定されている。固定状態では、周囲部分１９は、液相出口通路９の外部開口のリム２０の少なくとも一部を覆っており、支持デバイス２１は、図２に２２によって示されるレベルまでせきプレート１４を部分的に覆っている。
【００２２】
図３は、図２のＩＩＩ−ＩＩＩ線に沿った液相出口開口９を通る断面を示しており、液のレベル１５を示しており、それは、せきプレート１４のオーバーフロー縁１７と実質的に一致している。
【００２３】
図４は、例証のために、下側部分３２と、ヒンジ３４による下側部分３２にヒンジ連結された蓋３３を備えているケーシング３１に装着された回転体３０を備えている従来技術のデカンター遠心機を示している。蓋は、開位置に示されている。ケーシングはいくつかの仕切りを備えており、それらは区分されており、仕切りの上側半円区域３５は、蓋が閉位置にされたときにケーシングの下側部分３２の仕切りの下側区域３６と共働するように、蓋３３に取り付けられている。これらの仕切りは、ケーシング３１の内壁と回転体３０の間の空間を複数の区画３７に分割し、それらのいくつかは、回転体３０の内側で分離された供給材料のそれぞれの層を回収するために使用される。したがって、重量相区画３７ａは重量固相を回収し、軽量相区画３７ｂは軽量液相を回収する。
【００２４】
図５および６は、ボウル４１と、ベースプレートまたはベース４２と、ベース４２に連結されたシャフト部分４３を備えている回転体４０の一部を示している。回転体は、水平回転軸４５を有している。ここまで、回転体４０は、図１および４にそれぞれ示された回転体１および３０と同様である。しかしながら、本発明で使用可能な出口配置を説明するため、ベース４２を通って延びている液相出口通路４７は、めくら端５３を備えているチューブ状出口要素５１の円形連結ピース４９を収容している。したがって、チューブ状出口要素５１は出口通路４７を延ばしている。
【００２５】
めくら端５３は、円形筒状側壁５７を備えている出口ハウジング５５を提供する。出口要素５１は、回転軸４５に平行に延びている、以下に詳細に説明される調整軸５９を構成している軸を有している。運転中、回転体４０は、図６に示される回転方向６１に回転している。出口ハウジング５５の側壁５７は、筒状側壁５７の筒表面のそれぞれの生成体に沿って共に延びているせきエッジ６５と反対側エッジ６７を備えた出口開口６３を備えている。せきエッジ６５と反対側エッジ６７は、それらの間に角度αを成して延びており、それは好ましくは３０°ないし７５°、より好ましくは４５°ないし６０°の範囲内にある。
【００２６】
示された実施形態では、連結ピース４９は、Ｏリングシール６９を収容している溝から離間した、外側出口ハウジング５５に似た実質筒状である。別のＯリングシール７１が、出口通路４７を囲む凹部に収容されている。出口要素５１は周辺カラー７３を備えており、それは、出口通路４７を囲んでいる別の凹部に部分的に収容されている。連結ピース４９が円形であるので、出口要素５１の残りは調整軸５９のまわりに回転可能である。
【００２７】
ワッシャー７７を備えたスクリュー７５が、スクリュー７５を締めることがワッシャー７７をカラー７３に付勢し、それにより同一物を締め付けるように出口要素５１のそばに設けられており、それによって出口要素５１の回転が防止され、スクリュー７５とワッシャー７７は締め具の実施形態を構成している。
【００２８】
さらに、カラー７３を収容している凹部のそばのベース４２の表面上にスケール７９が設けられ、またカラーにマーク８１が設けられており、出口要素５１の角度位置の指示を与え、スケール７９とマーク８１は連携して指示器の実施形態を構成している。
【００２９】
図５および６には一本だけの出口通路４７が示されているが、そのような遠心分離機に普通であるように、複数の出口通路が存在し、回転軸のまわりに平等に分配されてよいと理解されるべきである。
【００３０】
出口ハウジング５５は以下のように働く。
【００３１】
使用時、ボウル４１は方向６１に回転し、ボウル４１の内側の供給材料を、重量固相（示されない）とレベル８３に表面を有している軽量液相に分離させ、レベル８３は、せきエッジ６５のレベルの少し上にあり、それにより液相を出口要素５１と出口開口６３を通してボウルの外へ追い出す圧力ヘッドを提供する。出口開口６３は、遠心分離機の通常使用のあいだ、いっぱいに流れず、流れている液体の自由表面と反対側エッジ６７の間に自由空間または通気孔が存在するほどに大きくあるべきである。
【００３２】
出口要素５５は、調整軸５９のまわりに回転させることによって角度位置に置かれ、ボウルの内側の液体の希望レベル８３に対応する希望レベルにせきエッジに６５を持って来る。前者のレベルが調節される必要があれば、せきエッジ６５のレベルが、出口要素５５を調整軸５９のまわりに回転させることによって相応に調節される。調整の円運動のため、せきエッジ６５を上げることは、所与の点で、反対側エッジ６７が、せきエッジ６５のレベルに近いまたはその下の位置に下げられ、その点では、液体は、意図されていない反対側エッジ６７を越えて流れることを伴う。したがって、せきエッジのレベルが調節され得る範囲には限界がある。角度αが大きいほど、意図した機能を得ながら、せきエッジのレベルが調節され得る範囲は小さい。しかしながら、角度αが小さいほど、出口開口６３の大きさも小さい。これらは、角度αの大きさを決定するとき、熟練者が考慮に入れる因子である。
【００３３】
出口要素５１の角度位置を調節するとき、図６に示されるように、回転方向６１に対して反対方向に液相を放出するために出口開口６３が回転方向６１に対して後方に面し、エネルギーが放出液体から回復されるように注意が払われる。
【００３４】
出口要素５１の角度位置の調整のために、スクリュー７５が、ワッシャー７７の締め付け動作からカラー７３が解放されるように緩められる。出口要素は、角度調整をコントロールするためにスケール７９とマーク８１を使用して調整軸のまわりに回され、出口要素５１の意図しない回転を防ぐためにスクリューが再び締め付けられる。
【００３５】
図７〜９は、本発明による回転体１０１の実施形態の一部を示している。示されていない部分は、図１〜６に示された実施形態の対応部分と同様である。しかしながら、本実施形態は、液相が、異なる密度の二つの液相の混合物から成る供給材料の分離に適している。したがって、ボウル（図示せず）の内側の要素は、ＷＯ２００９／１２７２１２に示されたボウルの実施形態の内側の要素と同様であり、同文献は参照によってここに組み込まれる。回転体１０１は、回転軸１０２を有しており、ベース１０３を備えており、それはシャフト部分１０５と連結されており、それはフランジ１０７を支持しており、同軸シールド１０９が設けられている。ベース１０３とフランジ１０７は、それらの間に、遠心分離機の第一の後部長手エリア１１１を定めており、また、フランジ１０７とシールド１０９は、それらの間に、遠心分離機の第二の後部長手エリア１１３を定めている。定めによって、第一の後部長手エリア１１１はベース１０３の後部にあり、第二の後部長手エリア１１３は第一の後部長手エリア１１１の後部にある。
【００３６】
ケーシングの仕切りは、詳細に示されていないが、図４に示されたケーシングに対応しており、それらの上側区域３５ａ、３５ｂおよび３５ｃによる、図８および９に示される。上側区域３５ａとフランジ１０７は上側区域３５ｂと一緒になって第一の後部長手エリア１１１中に近位区画を定めており、また、上側区域３５ａとフランジ１０７は、上側区域３５ｃとシールド１０９と一緒になって第二の後部長手エリア１１３中に遠位区画を定めている。
【００３７】
二つの液相から成る供給材料に適するため、ベース１０３は、回転軸に対して異なる角度位置に設けられた二本の出口通路１０２を備えている．
したがって、図７は、第一の出口通路を延ばしている第一の円形筒状出口要素１２１の連結ピース１１９を収容している凹部１１７を備えている第一の出口通路１１５を示している。出口要素１２１のめくら端は、フランジ１０７の開口１２５に収容されている連結ピース１２３として形成されている。したがって、出口要素１２１は、ベース１０３とフランジ１０７によって保持されている。Ｏリングシール１２７が、連結ピース１１９および１２３のそれぞれの溝の中に設けられている。連結ピース１１９および１２３の間の出口要素１２１の部分は、第一のせきエッジ１２９と反対側エッジ１３１を有している第一の出口開口１２８を備えている出口ハウジング１２６の円形筒状側壁を構成している。連結ピース１１９および１２３が円形であるので、第一の出口ハウジング１２６は調整軸１３３のまわりに回転可能である。ベースの内側表面には、凹部１３５が出口通路１１５に設けられている。凹部１３５は、出口通路１１５の中に開口しており、それにより後者を延ばしている貫通通路１３９を備えているチャンネル部材１３７を収容している。
【００３８】
したがって、使用時、出口ハウジング１２６はそのせきエッジ１２９と一緒に、図５および６と関連して説明された出口ハウジング５５と同様に働き、せきエッジ１２９は、ボウルの内側の液体のレベル１４１を定める。したがって、使用時、ボウルからの軽量相の液体は、第一の出口開口１２８から第一の後部長手エリア１１１の近位区画の中に放出される。
【００３９】
しかしながら、出口開口１２８の方位は、この実施形態の回転体の回転方向が、図５および６に示された実施形態の回転体の回転方向と反対であることを示していることに注目すべきである。
【００４０】
図８は、第二の出口通路を延ばしている第二の円形筒状出口要素１５１の連結ピース１４９を収容している凹部１４７を備えている第二の出口通路１４５を示している。出口要素１５１のめくら端は、円形筒状側壁１５６を備えている第二の出口ハウジング１５４として形成されており、それは、円形筒状側壁１５６の筒表面のそれぞれの生成体に沿って延びている回転軸１０２から遠い遠位エッジ１６０と回転軸１０２に近い反対側エッジ１６１を備えている第二の出口開口１５８を備えている。本実施形態では、遠位エッジ１６０は、第二のせきエッジ１５９を構成している。出口要素１５１は、フランジ１０７の凹み肩部を備えている開口１５５に収容されている中間連結ピース１５３を備えている。したがって、出口要素１５１は、ベース１０３とフランジ１０７によって保持されている。Ｏリングシール１５７が、連結ピース１４９および１５３のそれぞれの溝の中に設けられている。連結ピース１４９および１５３の間の出口要素１５１の部分は、チューブ状導管１６２を構成している。連結ピース１４９および１５３が円形であるので、第二の出口ハウジング１５４は調整軸１６３のまわりに回転可能である。ベースの内側表面には、凹部１６５が第二の出口通路１４５に設けられている。凹部１６５は、第二の出口通路１４５をボウル中の下側レベル（そこには重量液相が存在する）まで延ばしている通路１６９を備えている第二のチャンネル部材１６７を収容している。したがって、第二のチャンネル部材１６７は、使用時、第二の出口通路１４５をボウル中の軽量液相から保護する。
【００４１】
使用時、第二の出口ハウジング１５４はそのせきエッジ１５９と一緒に、図５および６と関連して説明された出口ハウジング５５と同様に、また図７と関連して説明された出口ハウジング１２６と同様に働く。しかしながら、せきエッジ１５９は、ボウルの内側の液体のレベル１４１を定めないが、第一のせきエッジ１２９と一緒に、ボウル中で所与の軽量および重量液相の間の界面のレベル１７１を定める。熟練者は、前記界面の実際のレベル１７１はまた、軽量および重量相の密度の間の割合に依存することを理解する。したがって、使用時、ボウルからの重量相の液体は、第二の出口開口１５８から第二の後部長手エリア１１３の遠位区画の中に放出される。
【００４２】
本実施形態では単一要素の一部であるので、第二の出口ハウジング１５４とチューブ状導管１６２は、第一の軸方向長さを有している細長い出口ハウジングを構成しており、第二の出口開口１５８は第二の軸方向長さを延ばしており、それは第一の軸方向長さの半分未満である。それによって、第二の出口開口１５８はベース１０３から遠くに置かれている。これは、第一の後部長手エリア１１１の隣の第二の後部長手エリア１１３に液相の一方を放出しながら、ボウルの内側の液体のレベルに近いレベルに前記液相を放出することを提供し、これは、エネルギーの損失を最小にするのを支援する。回転方向の反対方向に液体を放出することは、エネルギーの損失をさらに最小にすることを支援するか、ボウル中の液体の回転体からのエネルギーの回復を伴う。
【００４３】
レベル１４１および１７１の調整のため、第一および第二の出口要素１２１および１５１が、回転をコントロールするための示されない指示器を使用して、また回転を許す示されない締め具を緩めて、それぞれの調整軸１３３および１６３のまわりに回転される。これは、図５および６に示された実施形態と関連して説明された調整と同様である。
【００４４】
図７〜９に示されそれらと関連して論じられた実施形態では、軽量相が近位区画の中に放出され、重量相が遠位区画の中に放出されるが、これは、チャンネル部材１３７および１６７を交換することによって、また第一および第二のせきエッジ１２９および１５９のレベルの再調整を対応させることによって変更されてよく、重量相が近位区画の中に放出され、軽量相が遠位区画の中に放出される。
【００４５】
それぞれの出口開口１２８および１５８からの放出後の二つの液相の再混合を防止するために、フランジ１０７とそれと共働するケーシングの仕切りの間にはシールが設けられている。図８および９は、前記仕切りの上側区域３５ａを示しており、それは足部分１７３を備えている。フランジ１０７は、フランジ１０７に取り付けられた環状保持要素１７７によって装着された内側環状シーリング部材１７５を支持している。環状シーリング部材１７５は、フランジ１０７とスライド係合にあり、好ましくは比較的硬いプラスチック材料で作られている。環状シーリング部材１７５は、Ｏリングシール１７９の形の外側可撓部材を収容している溝を有している。ケーシングの蓋がその閉位置にあるとき、仕切りの上側区域３５ａの位置によって図８および９に示されるように、足部分１７３は、Ｏリングシール１７９を押し付け、環状シーリング部材１７５の回転を防止し、一方、フランジ１０７との環状シーリング部材１７５のスライド係合は、回転体１０１が回転することを許す。このシーリング構成は、他の仕切りと回転体の該当部分の間に使用されてもよい。
【００４６】
図７〜９に示された好適な実施形態は図５および６に示された出口配置を利用しているが、第一および／または第二の出口ハウジング１２６および１５６を省略することは本発明の範囲内にあり、代わりに、たとえば、図２および３に示されたせきのようにせきを提供して、一方の液相を第一の出口通路１１５からせきエッジ１７を越えて近位区画の中に直接放出する、および／または、他方の液相をチューブ状導管１６２から例えばせきエッジ１７を越えて遠位区画の中に直接放出することに注意すべきである。
【００４７】
したがって、図１０ａ、１０ｂおよび１０ｃは、回転軸２０２を有し、ベース２０３を備えている回転体２０１を備えた実施形態を示している。シャフト部分２０５は、ベース２０３に連結されており、フランジ２０７を支持している。第一の出口通路２１５が、ベース２０３を通って第一の出口開口２２８まで延びており、そこには、第一のせきエッジ２２９を備えた第一のせきプレート２２９ａが設けられている。ベースの内側表面において、保護チャンネル部材２６７が、軽量および重量液相の間の界面２７１の下にあるボウル中のレベルまで第一の出口通路２１５を延ばしている。したがって、保護チャンネル部材２６７は、使用時、第一の出口通路２１５を回転体２０１のボウル中の軽量液相から保護する。したがって、使用時、ボウル中の液体の重量相は、第一の出口開口２２８から第一の後部長手エリア２１１の近位区画の中に放出される。
【００４８】
図１０ｂは、フランジ２０７を通って延び、第二のせきエッジ２５９を備えた第二のせきプレート２５９ａによって範囲が定められた第二の出口開口２５８まで第二の出口通路２４５を延ばしているチューブ状導管２６２を提供する出口要素２５１の連結ピースを収容している凹部２４７を備えた第二の出口通路２４５を示しており、第二のせきエッジ２５９は、第二の出口開口２５８の遠位エッジ２６０を構成している。第二のせきエッジ２５９は、ボウルの内側の液体のレベル２４１を定める。したがって、使用時、ボウルからの液体の軽量相は、第二の出口開口２５８から第二の後部長手エリア２１３の遠位区画の中に放出される。
【００４９】
この実施形態では、せきプレート２２９ａおよび２５９ａは、したがってせきエッジ２２９および２５９は、それぞれ、ベース２０３とフランジ２０７に平行に延びており、さらにこの実施形態では、ベース２０３とフランジ２０７は共に、回転軸２０２に垂直なそれぞれの平面内に延びている。
【００５０】
図１１は、図１０ａ、１０ｂおよび１０ｃに示された実施形態の変形の図１０ｂに対応する図面である。したがって、同一の要素は同一の参照数字によって示されている。図１１の実施形態では、第二の出口通路２４５と連絡しているせきエッジを備えているせきプレートが、第二の出口開口２５８から取り除かれている。代わりに、第二のせきエッジ３５９を備えている第二のせきプレート３５９ａが、ベースの内側表面において第二の出口通路２４５の入口を制限するように設けられている。第二のせきエッジ３５９は、回転体２０１のボウルの内側の液体のレベル２４１を定める。この場合、第二の出口開口２５８の下側部分は、前記第二の出口開口の遠位エッジ３６０を構成している。それにより、遠位エッジ３６０はせきエッジ３５９のレベルの下にあるレベルに置かれており、せきエッジ３５９を通過した液体が第二の出口開口２５８まで、さらにそこから第二の後部長手エリア２１３の遠位区画の中に自由に流れることを許し、チューブ状導管２６２内を流れる液体のレベルはせきエッジ３５９の上に延びることなく、これは、ボウルの内側の液体のレベル２４１をコントロールするための手段としての前記せきエッジ３５９の機能を破滅させる。
【００５１】
たとえば、上記の実施形態を混ぜ合わせて、図１０および１１の実施形態の出口の一つに図５ないし８に関連して説明された出口ハウジングが設けられることが可能であることに注意すべきである。
【００５２】
図１２および１３は、回転体に取り付けられたフランジと仕切りの間の環状シールの別の実施形態を示している。図８に示された要素と同様である要素は、図８で使用されたものと同一の参照数字が付されている。
【００５３】
したがって、図１２は、ベース１０３、シャフト部分１０５、回転軸１０２、シールド１０９、第二の出口開口１５８を備えた第二の円形出口要素１５１を備えている回転体の一部を示している。シャフト部分１０５はフランジ１０７ａを支持しており、第二の円形出口要素１５１はフランジ１０７ａを通って延びている。図１２はさらに、ケーシングの仕切りの上側区域３５ａ’、３５ｂおよび３５ｃを示している。上側区域３５ａ’、３５ｂおよび３５ｃは、図４に示されたようにケーシングの蓋に取り付けられていると理解すべきである。上側区域３５ａ’によって表わされた仕切りとフランジ１０７ａは一緒になって、第一の後部長手エリア１１１と第二の後部長手エリア１１３を分離する。
【００５４】
上側区域３５ａ’は足部分１７３ａを有しており、それは、半円シーリング要素１７５ａを装着するためのスクリュー４０１（それらの一つだけが示されている）を受けるに十分な大きさを有している。図１３は、少なくとも装着位置にあるその形状を示している半円シーリング要素１７５ａの平面図である。同様の半円シーリング要素１７５ａが、仕切の上側区域３５ａ’に対応する下側区域に装着され、前記下側区域は、上側区域３５ａ’の反対側のケーシングの下側部分に装着されており、上側区域３５ａ’は、述べたように、ケーシングの蓋に装着されていると理解すべきである。
【００５５】
図１２および１３の実施形態では、図４に示されるようにケーシングに回転体が装着され蓋が閉じられたときに、二つの半円シーリング要素１７５ａは、区分された環状シーリングを形成し、それは、フランジ１０７ａの周囲表面とスライド係合にあり、図８に示された環状シーリング部材１７５の機能と同様の機能をおこなうことを熟練者は認めるであろう。
以下に、本願出願の当初の特許請求の範囲に記載された発明を付記する。
［１］  異なる密度の二相の液体を分離するための遠心分離機であり、
回転軸（１０２；２０２）のまわりの回転方向に使用時に回転する回転体（１０１；２０１）を備え、前記回転軸は、前記回転体の長手方向に延びており、また、
前記長手方向に垂直に延びている径方向と、
ボウルを備えている前記回転体（１０１；２０１）を備え、
前記ボウルは、前記ボウルの後部長手端に設けられたベース（１０３；２０３）を備えており、前記ベースは、前記ベースの後部の前記遠心分離機の第一の後部長手エリア（１１１；２１１）に面しており、また、
前記ベース（１０３；２０３）を通って延びている少なくとも二本の出口通路（１１５，１３９，１４５，１６９；２１５，２４５）を備え、前記出口通路は、それぞれのレベルでそれぞれのせきエッジ（１２９，１５９；２２９，２５９；３５９）と連絡しており、前記せきエッジ（１２９，１５９；２２９，２５９；３５９）は使用時に、前記ボウルの中の液体のレベル（１４１；２４１）と、前記ボウル中の二相の液体間の界面のレベル（１７１；２７１）を定めており、前記出口通路の１番目のもの（１１５，１３９；２１５）は、使用時に液体を前記回転体から前記第一の後部長手エリア（１１１；２１１）の中に放出する第一の出口開口（１２８；２２８）まで軸方向に延びており、前記出口通路の２番目のもの（１４５，１６９；２４５）は、使用時に液体を前記回転体から、前記第一の後部長手エリア（１１１；２１１）の後部の第二の後部長手エリア（１１３；２１３）の中に放出する第二の出口開口（１５８；２５８）まで延びている導管（１６２；２６２）を備えており、前記第二の出口開口（１５８；２５８）は、前記第二の出口開口（１５８；２５８）と連絡している前記せきエッジ（１５９；２５９；３５９）のレベルの上にないレベルに置かれた前記回転軸（１０２；２０２）に対する遠位エッジ（１６０；２６０；３６０）を有しているように位置しており、また、
前記ベース（１０３；２０３）から前記回転軸（１０２；２０２）と同軸に延びている前記回転体（１０１；２０１）のシャフト部分（１０５；２０５）を備え、前記シャフト部分はフランジ（１０７；２０７）を支持しており、前記導管（１６２；２６２）は、前記ベース（１０３；２０３）から前記フランジ（１０７；２０７）を通って前記第二の出口開口（１５８；２５８）まで延びており、前記フランジは、前記第一および前記第二の後部長手エリア（１１１および１１３；２１１および２１３）を分離しており、また、
前記回転体（１０１）を収納しているケーシング（３１）を備え、前記ケーシングは、前記回転体から前記第一の出口開口（１２８）を通って放出された液体を受け取るための近位区画と、前記回転体から第二の出口開口（１５８）を通って放出された液体を受け取るための遠位区画を備えており、前記区画は仕切り（３５ａ）によって分離されており、
前記仕切りを有している前記ケーシングは、蓋（３３）を備えている少なくとも二つの部分に分割されており、少なくとも前記蓋が閉位置にあるとき、前記フランジ（１０７）は環状シーリング（１７５，１７９）によって囲まれ、前記仕切り（３５ａ）は前記環状シーリングに係合する、遠心分離機。
［２］  前記遠位エッジ（１６０；２６０）は、前記第二の出口開口（１５８；２５８）と連絡する前記せきエッジ（１５９；２５９）を構成していることを特徴とする、［１］に記載の遠心分離機。
［３］  前記環状シーリングは、前記フランジ（１０７）とスライド係合にある内側環状シーリング部材（１７５）と、前記蓋が閉位置にあるときに前記仕切り（３５ａ）と非スライド係合にある外側可撓部材（１７９）を備えていることを特徴とする、［１］または［２］に記載の遠心分離機。
［４］  前記環状シーリングは、前記蓋をその閉位置にすることによって前記ケーシングの前記二つの部分が、したがって前記仕切りの前記二つの部分（３５ａ，３６）が一緒にされたときに前記環状シーリングを形成する、前記仕切りの前記二つの部分のいずれかに取り付けられた二つの半円部分（１７５ａ）を備えていることを特徴とする、［１］または［２］に記載の遠心分離機。
［５］  前記半円部分は、前記仕切りのそれぞれの部分にしっかりと装着されていることを特徴とする、［４］に記載の遠心分離機。
［６］  ［１］〜［５］のいずれかひとつに記載の遠心分離機であり、前記第二の後部長手エリア（１１３）に置かれた出口ハウジング（１５４）によって特徴づけられ、前記出口ハウジングは前記導管の一部を構成しており、前記出口ハウジングは調整軸（１６３）のまわりに回転可能であり、前記出口ハウジングは、前記調整軸から外れた側壁（１５６）を備えており、前記第二の出口開口（１５８）は前記側壁中に置かれている、遠心分離機。
［７］  前記出口ハウジングを備えている前記導管は、前記ベース（１０３）に回転自在に連結された連結ピース（１４９）を有している出口要素（１５１）の一部であることを特徴とする、［６］に記載の遠心分離機。
［８］  前記出口部材は、チューブ状であり、前記調整軸と同軸のチューブ軸を有していることを特徴とする、［７］に記載の遠心分離機。
［９］  前記調整軸は前記回転軸と平行であることを特徴とする、［６］〜［８］のいずれかひとつに記載の遠心分離機。
［１０］  前記せきエッジ（２２９，２５９）の少なくとも一つは平面内に延びており、それは前記ベース（２０３）と平行であることを特徴とする、［１］〜［５］のいずれかひとつに記載の遠心分離機。
【図１】
0005859559.tif 000002
【図２】
0005859559.tif 000003
【図３】
0005859559.tif 000004
【図４】
0005859559.tif 000005
【図５】
0005859559.tif 000006
【図６】
0005859559.tif 000007
【図７】
0005859559.tif 000008
【図８】
0005859559.tif 000009
【図９】
0005859559.tif 000010
【図１０ａ】
0005859559.tif 000011
【図１０ｂ】
0005859559.tif 000012
【図１０ｃ】
0005859559.tif 000013
【図１１】
0005859559.tif 000014
【図１２】
0005859559.tif 000015
【図１３】
0005859559.tif 000016